(57)【要約】【課題】  所望の形状、大きさのマイクロレンズを有する光素子の製造方法を提供する。【解決手段】  本発明の光素子の製造方法は、  （ａ）光学素子１２の光学面１２ａに対して光透過性を有する硬化樹脂の前駆体溶液の液滴１４ａを吐出して、光学部材前駆体１４ｂを形成すること、  （ｂ）前記光学部材前駆体１４ｂを硬化させて光学部材１４を形成すること、  を含み、  前記（ａ）では、前記光学面１２ａに前記液滴１４ａが着弾する前の該液滴の粘度と比して、着弾時におけるその粘度が高くなるよう行われる。【選択図】      図３
2006145738.tif 000002
【特許請求の範囲】
【請求項１】
（ａ）光学素子の光学面に対して光透過性を有する硬化樹脂の前駆体溶液の液滴を吐出して、光学部材前駆体を形成すること、
（ｂ）前記光学部材前駆体を硬化させて光学部材を形成すること、
を含み、
前記（ａ）では、前記光学面に前記液滴が着弾する前の該液滴の粘度と比して、着弾時におけるその粘度が高くなるよう行われる、光素子の製造方法。
【請求項２】
請求項１において、
前記（ａ）は、吐出時の前記前駆体溶液の温度と比して、着弾時の該前駆体溶液の温度が低い条件で行われる、光素子の製造方法。
【請求項３】
請求項１または２において、
前記（ａ）では、吐出される前の前記前駆体溶液を加熱して行われる、光素子の製造方法。
【請求項４】
請求項１ないし３のいずれかにおいて、
前記（ａ）は、前記光学面を覆う雰囲気の温度が、吐出前の前記前駆体溶液の温度と比して低い状態で行われる、光素子の製造方法。
【請求項５】
請求項４において、
前記光学面の周囲を窒素ガスまたは炭酸ガスで覆うことにより、該光学面を覆う雰囲気の温度を低くする、光素子の製造方法。
【請求項６】
請求項１ないし５のいずれかにおいて、
前記（ａ）は、着弾時に前記前駆体溶液の溶剤を除去すること、を含む、光素子の製造方法。
【請求項７】
請求項１ないし６のいずれかにおいて、
前記（ａ）は、前記吐出された直後の前記液滴を覆う雰囲気の酸素濃度と比して、着弾時の該液滴を覆う雰囲気の酸素濃度が低い状態で行われる、光素子の製造方法。
【請求項８】
請求項１ないし７のいずれかにおいて、
前記光学部材は、マイクロレンズである、光素子の製造方法。
【請求項９】
請求項１ないし８のいずれかにおいて、
さらに、（ｃ）前記光学部材の周囲を封止材で埋め込むこと、を含む、光素子の製造方法。
【請求項１０】
光学面を有する光学素子を覆う被覆部と、
前記被覆部に設けられ、前記被覆部内の温度を下げるための冷却剤供給部と、
前記光学面に対して光透過性を有する硬化樹脂の前駆体溶液を滴下可能な溶液滴下部と、
前記前駆体溶液を変性させて硬化させるためのエネルギー線供給部と、
を含む、光素子の製造装置。
【請求項１１】
請求項１０において、
前記溶液滴下部には、前記前駆体溶液を加熱するための加熱部が設けられている、光素子の製造装置。
【発明の詳細な説明】
【技術分野】
【０００１】
本発明は、その上方にマイクロレンズなどの光学部材を有する光素子の製造方法および光素子の製造装置に関する。
【背景技術】
【０００２】
発光素子や受光素子などの光素子には、光の出射面または入射面にマイクロレンズが設けられることがある。このように、マイクロレンズを設けることで、発光素子であれば、出射光の放射角を低減することができ、受光素子であれば、受光効率の向上を図ることができるのである。このマイクロレンズの形成方法の一例として、光透過性を有する硬化樹脂の液体材料を液滴吐出法を用いて、出射面または入射面の上方に滴下して、これを紫外線などの照射で硬化する方法がある。
【特許文献１】特開２０００−２８０２号公報
【発明の開示】
【発明が解決しようとする課題】
【０００３】
しかし、上記のように、液滴吐出法を用いて形成する場合には、液体材料を滴下する領域に、撥液処理や親水処理を施すことがあり、マイクロレンズの形成位置や形状を制御することが難しいことがある。また、他には、マイクロレンズを形成したい領域に凹部を形成し、この凹部に液体材料を保持しマイクロレンズを形成する方法もあるが、この場合には、凹部に保持できる液量が限られてしまう。そのため、より精度よく所望のマイクロレンズを形成できることが望まれている。
【０００４】
本発明の目的は、所望の形状、大きさのマイクロレンズを有する光素子の製造方法を提供することにある。本発明の他の目的は、上記光素子を形成するための光素子の製造装置を提供することにある。
【課題を解決するための手段】
【０００５】
（１）本発明の光素子の製造方法は、
（ａ）光学素子の光学面に対して光透過性を有する硬化樹脂の前駆体溶液の液滴を吐出して、光学部材前駆体を形成すること、
（ｂ）前記光学部材前駆体を硬化させて光学部材を形成すること、
を含み、
前記（ａ）では、前記光学面に前記液滴が着弾する前の該液滴の粘度と比して、着弾時におけるその粘度が高くなるよう行われる。
【０００６】
本発明の光素子の製造方法によれば、光学部前駆体を形成する際、前駆体溶液の滴下が光学面に着弾したとき、その液滴の粘度が高くなるような条件で行われる。そのため、着弾時の液滴の表面張力を大きくすることができる。その結果、球面形状を有する、つまり、曲率の向上した光学部前駆体を形成することができ、光学部材の形状や大きさがより厳密に制御された光素子を製造することができる。
【０００７】
ここで、「光学面」は、本発明の光素子から外部への光の出射面であってもよいし、外部から本発明の光素子への光の入射面であってもよい。また、「外部」とは、本発明の光素子以外の領域をいう。さらに、「光学部材」とは、光の性質や進行方向を変える機能を有する部材をいう。
【０００８】
（２）本発明の光素子の製造方法において、前記（ａ）は、吐出時の前記前駆体溶液の温度と比して、着弾時の該前駆体溶液の温度が低い条件で行われることができる。
【０００９】
この態様によれば、液滴を吐出する際には、粘度が低い状態で吐出できるため、良好に吐出することができ、光学面に対しての着弾時には、吐出時より液滴の温度を低くすることで、液滴の粘度を高くすることができる。そのため、着弾時の液滴の表面張力は大きくなり、球面を有する光学部前駆体を形成することができる。
【００１０】
（３）本発明の光素子の製造方法において、前記（ａ）では、吐出される前の前記前駆体溶液を加熱して行われることができる。
【００１１】
この態様によれば、吐出時の前駆体溶液の温度を確実に高くすることができ、良好に吐出をすることができる。
【００１２】
（４）本発明の光素子の製造方法において、前記（ａ）は、前記光学面を覆う雰囲気の温度が、吐出前の前記前駆体溶液の温度と比して低い状態で行われることができる。
【００１３】
この態様によれば、着弾後の液滴の温度をより確実に低くすることができ、着弾時の液滴の粘度を低くすることができる。その結果、球面状を有する光学部前駆体を形成することができる。
【００１４】
（５）本発明の光素子の製造方法において、前記光学面の周囲を窒素ガスまたは炭酸ガスで覆うことにより、その温度を低くすることができる。
【００１５】
この態様によれば、着弾後の液滴の温度をより確実に低くすることができ、着弾時の液滴の粘度を低くすることができる。その結果、球面状を有する光学部前駆体を形成することができる。
【００１６】
（６）本発明の光素子の製造方法において、前記（ａ）は、着弾時に前記前駆体溶液の溶剤を除去すること、を含むことができる。
【００１７】
この態様によれば、着弾時の液滴から溶剤を除去することで、該液滴の粘度を高くすることができる。その結果、着弾後の液滴の表面張力は大きくなり、球面を有する光学部前駆体を形成することができる。
【００１８】
（７）本発明の光素子の製造方法において、前記（ａ）は、前記吐出された直後の前記液滴を覆う雰囲気の酸素濃度と比して、着弾時の該液滴を覆う雰囲気の酸素濃度が低い状態で行われることができる。
【００１９】
この態様によれば、液滴の表面張力を大きくすることができ、より、球面状の光学部材前駆体を形成することができる。
【００２０】
（８）本発明の光素子の製造方法において、前記光学部材は、マイクロレンズであることができる。
【００２１】
（９）本発明の光素子の製造方法において、さらに、（ｃ）前記光学部材の周囲を封止材で埋め込むことができる。
【００２２】
この態様によれば、光学素子の光学面上に、光素子をより簡便な方向で固定することができる。
【００２３】
（１０）本発明の光素子の製造装置は、
光学面を有する光学素子を覆う被覆部と、
前記被覆部に設けられ、前記被覆部内の温度を下げるための冷却剤供給部と、
前記光学素子の上面に対して光透過性を有する硬化樹脂の前駆体溶液を滴下可能な溶液滴下部と、
前記前駆体溶液を変性させて硬化させるためのエネルギー線供給部と、
を含む。
【００２４】
本発明の光素子の製造装置によれば、被覆部に冷却剤供給部が設けられていることにより、被覆部内において、光学面を覆う雰囲気を冷却することができる。そのため、光学面に前駆体溶液の液滴が着弾する前後でその粘度を容易に異ならせることができる。その結果、球面形状を有する光学部材を有する光学素子を製造することができる。
【００２５】
（１１）本発明の光素子の製造装置において、前記溶液滴下部には、前記前駆体溶液を加熱するための加熱部が設けられていることができる。
【００２６】
この態様によれば、吐出前の前駆体溶液の粘度を低くすることができ、液詰まりを起こすことなくスムーズに前駆体溶液の吐出を行うことができる。
【発明を実施するための最良の形態】
【００２７】
以下、本発明の実施の形態について、図面を参照しつつ説明する。
【００２８】
１．光素子およびその製造方法
１．１．光素子の構造
図１は、本発明を適用した一実施の形態に係る光素子１００を模式的に示す断面図である。図２は、図１に示す光素子１００を模式的に示す平面図である。なお、図１は、図２のＡ−Ａ線における断面を示す図である。
【００２９】
本実施の形態の光素子１００は、所与の基板１０上に設けられた光学素子１２と、光学素子１２の光学面１２ａ上に設けられた光学部材１４とを含む。光学部材１４は、例えば、入射した光を集光、偏向、または分光する機能を有することができる。
【００３０】
本実施の形態において、光学素子１２とは、たとえば、発光素子または受光素子である。発光素子の場合、光を放出する部位（出射面）を有し、受光素子の場合、光を取り込む部位（入射面）を有する。この出射面または入射面が本実施の形態の光素子１００における光学面１２ａに該当することとなる。具体的には、発光素子としては、半導体レーザ、半導体発光ダイオード、有機ＥＬ装置が例示できる。また、受光素子としては、固体撮像素子、フォトダイオード、ＭＳＭフォトディテクターが例示できる。
【００３１】
光学部材１４は、光の性質や進行方向を変える機能を有する部材をいい、光透過性の硬化樹脂の前駆体溶液を、光学素子１２の光学面１２ａに滴下して、光学部前駆体を形成し、これをエネルギー線により硬化して形成される。このとき、前駆体溶液として好適に用いることができる材料については、後述の製造方法の項に記載する。
【００３２】
１．２．光素子の製造方法
次に、図１および図２に示す光素子１００の製造方法について、図３（Ａ）〜図３（Ｃ）を参照しながら説明する。
【００３３】
（１）まず、図３（Ａ）に示すように、所与の基板１０の上に、光学面１２ａを有する光学素子１２を形成する。光学素子１２としては、１．１の項で述べた種々の素子を、それぞれ公知の方法で形成することができる。
【００３４】
ついで、光学素子１２の光学面１２ａの上に、光学部前駆体１４ｂを形成する（図３（Ｂ）参照）。この工程では、具体的には、光学素子１２の光学面１２ａに対して、インクジェットヘッド２０のノズル２２から前駆体溶液の液滴１４ａを吐出して行われる。
【００３５】
液滴１４ａを吐出する方法としては、ディスペンサ法または液滴吐出法が例示できる。液滴１４ａの粘度および吐出量等を考慮して、吐出方法を選択するのが望ましい。例えば、液滴吐出法を用いる場合、液滴１４ａの粘度は約２０ｃｐｓ以下で用いるのが望ましい。一方、ディスペンサ法を用いる場合、液滴１４ａの粘度はこれより高くてもよい。ディスペンサ法は、液滴の吐出量を多くすることが可能であるため、比較的大きなレンズを形成する場合に有用な方法である。また、液滴吐出法は、液滴の吐出量および吐出位置を厳密に制御できるため、微細なレンズを形成する場合に有用な方法である。
【００３６】
このとき、前駆体溶液の滴下は、前記光学素子１２の光学面１２ａに前記液滴１４ａが着弾する前の液滴の粘度と比して、着弾時のその粘度が高くなるような条件で行なわれる。具体的には、たとえば、下記の方法１ないし４の少なくともいずれか１つの方法をとることで、着弾前後の粘度を異ならせることができる。
【００３７】
方法１としては、吐出前の前駆体溶液の温度が光学面１２ａを覆う雰囲気の温度と比して高い温度となるよう、前駆体溶液を加熱することを挙げることができる。つまり、たとえば、光学素子１２が、室温の大気中に設置されているときには、吐出前の前駆体溶液の温度が少なくとも室温より高い温度になるよう調整すればよい。通常、前駆体溶液はその性質上、その温度が低い方が粘度が高くなるため、この方法をとることにより、着弾時の液滴１４ａの粘度を大きくすることができるのである。
【００３８】
方法２としては、光学素子１２が設けられた基板１０の温度を、吐出される前駆体溶液の温度よりも低くする方法を挙げることができる。この場合も、前記の方法１と同様で、温度が低い方が溶液の粘度が高くなることを利用し、着弾前後の液滴１４ａの粘度を異ならせている。基板１０の温度を下げる方法としては、たとえば、基板１０を設置するステージに温度調節機能を有するものを用いて行うことができる。
【００３９】
方法３としては、着弾時の液滴から前駆体溶液中の溶媒を除去することで、着弾時の液滴の粘度を高くする方法を挙げることができる。この場合、たとえば、揮発性の高い溶媒を用いること、基板１０を加熱すること、または光学面１２ａを覆う雰囲気の温度を高くすることで溶媒成分の除去を図ることができる。
【００４０】
方法４としては、光学面１２ａ周囲の酸素濃度を低くすることで、着弾時の粘度を高くする方法を挙げることができる。たとえば、後述の２．項で述べる光素子の製造装置を用いることで、酸素濃度を低くすることができる。
【００４１】
このようにして、図３（Ｂ）に示すように、球面形状を有する光学部前駆体１４ｂを形成することができる。
【００４２】
次に、図３（Ｃ）に示すように、光学部材前駆体１４ｂに、エネルギー線３０を供給することにより、光学部材１４が形成される（図１参照）光学部前駆体１４ｂ（液滴１４ａ）は、例えば熱または光等のエネルギーを付与することによって硬化可能な液体材料（例えば紫外線硬化型樹脂または熱硬化型樹脂）からなる。これにより、形状が制御された光学部材１４を得ることができる。紫外線硬化型樹脂としては、例えば紫外線硬化型のアクリル系樹脂およびエポキシ系樹脂が挙げられる。また、熱硬化型樹脂としては、熱硬化型のポリイミド系樹脂の前駆体等が例示できる。
【００４３】
紫外線硬化型樹脂は、短時間の紫外線照射によって硬化する。このため、熱工程など素子に対するダメージを与えやすい工程を経ずに硬化させることができる。したがって、光学部材１４を形成するために、光学部前駆体１４ｂ（液滴１４ａ）に紫外線硬化型樹脂を用いる場合、素子へ与える影響を少なくすることができる。このとき、酸素濃度が低い条件でエネルギー線の照射を行なうと、硬化反応を促進できるという利点がある。
【００４４】
以上の工程により、光学面１２ａの上に光学部材１４が形成される。この光学部材１４は、曲率および高さが大きいものである。
【００４５】
本実施の形態の光素子１００の製造方法によれば、着弾前の前駆体溶液の液滴１４ａの粘度と比して、着弾時にはその粘度が高くなるような条件で光学部前駆体１４ｂが形成される。そのため、液滴１４ａの表面張力を大きくすることができ、より球面形状の光学部前駆体１４ｂを形成することができる。その結果、その形状や大きさが厳密に制御された光学部材１４を有する光素子１００を製造することができる。
【００４６】
次に、光学素子が、発光素子である場合の利点について、図４（Ａ）図４（Ｂ）を参照しながら説明する。図４（Ａ）からわかるように、光学部材１４であるマイクロレンズを発光した光が通過することにより、その放射角を小さくすることができ、光ファイバとの結合を向上させることができる。また、図４（Ｂ）に示すように、光学部材１４が発光点からずれて形成することで、球面形状のマイクロレンズの内面で屈折させることができ、一方向に発光させる偏光素子として用いることができる。
【００４７】
また、光学素子が受光素子の場合の利点について、図５を参照しながら説明する。図５に示すように、マイクロレンズが球面形状を有することで、広がっている入射光を良好に屈折させることができ、受光効率をあげることができる。
【００４８】
１．３．応用例
次に、本実施の形態の光素子の製造方法を応用して形成されるマイクロレンズ基板について説明する。図６は、応用例にかかるマイクロレンズ基板２００を模式的に示す断面図である。図７は、図６に示すマイクロレンズ基板２００を模式的に示す平面図である。なお、図６は、図７のＡ−Ａ線における断面を示す図である。
【００４９】
図６に示すように、マイクロレンズ基板２００は、複数の光学部材１１４が設置されている。光学部材１１４は、光学素子１１２の光学面１１２ａ上に設けられている。光学素子１１２は基体１１０上に設けられている。光学素子１１２および光学部材１１４は、上述の実施の形態と同様である。
【００５０】
また、図６に示すように、光学部材１１４を固定するために、必要に応じて、光学部材１１４の周囲を封止材１６０で埋め込むことができる。なお、封止材１６０の材質は特に限定されないが、例えば樹脂を用いることができる。このように、封止材１６０を設けることで、より簡便な方法で光学部材１１４を光学面１１２ａの上に固定することができる。
【００５１】
このマイクロレンズ基板２００において、光学部材１１４は、上述の実施の形態にかかる製造方法で形成されている。そのため、球面形状の光学部材を形成することができ、本実施の形態にかかる光素子の製造方法と同様の作用効果を有する。
【００５２】
２．光素子の製造装置とその動作方法
２．１．光素子の製造装置
次に、１．の項で述べた光素子の製造方法を実現することができる製造装置について説明する。図８は、本実施の形態にかかる光素子の製造装置３００を簡略して示す図である。
【００５３】
本実施の形態にかかる光素子の製造装置３００は、少なくとも光学素子１２を覆う被覆部３１０と、前記被覆部３１０に設けられ、該被覆部３１０内の温度を下げるための冷却剤供給部３２０と、光学素子１２に対して所定の単位量ごとに光透過性を有する硬化樹脂の前駆体溶液を滴下する溶液滴下部３３０と、前記前駆体を変性させて硬化させるためのエネルギー線供給部３４０と、を含む。
【００５４】
被覆部３１０は、光学素子１２を覆うためのものであり、基板１０の表面に対して、上下方向に可動することができる。本実施の形態の製造装置３００では、光学素子１２が形成されている面に対して開口を有する構造をとる場合を例示する。また、被覆部３１０を構成する側壁は、被覆部３１０内に後述の冷却剤が供給された場合に、その温度を保持できるような材質であることが好ましい。
【００５５】
冷却剤供給部３２０は、光学素子を被覆部３１０で覆った状態で（後述の図９参照）、被覆部３１０内に冷却剤を供給するための役割を果たす。具体的には、被覆部３１０に冷却剤を供給することで、被覆部３１０で覆われた空間内の上方の空間（液滴滴下部３３０の設けられている空間）の温度と比して、下方の空間（光学素子が位置する空間）の温度を低くするために設けられている。この冷却剤供給部３２０からは、少なくとも、吐出される溶液の温度と比して低い温度の気体であれば、どのような気体でも用いることができる。たとえば、氷点下の温度である窒素ガスや炭酸ガスを流入させることができる。窒素ガスや炭酸ガスなどの温度の低い気体は、その性質上、下方の空間にたまりやすい。そのため、容易に、被覆部３１０内の上下空間での温度差を生じさせることができる。なお、冷却剤を供給する際には、継続して供給してもよいし、必要に応じて断続的に供給してもよい。
【００５６】
また、冷却剤として、上述の窒素ガスや炭酸ガスを用いる場合には、さらに、次のような利点がある。窒素ガスや炭酸ガスを供給させると、被覆部３１０内に当初存在していた気体を窒素ガスや炭酸ガスに置換することができる。そのため、被覆部３１０内、特に、冷却剤のたまりやすい光学素子１２周囲の雰囲気の酸素濃度を低くすることができる。酸素存在下に液滴を配置すると、液滴の分子と酸素分子とが結合し、液滴の表面エネルギーが下がってしまう。このことは、表面張力の低下につながる。しかし、この態様では、酸素濃度を低くすることができるため、表面張力を大きくすることができ、光学部前駆体１４ｂを球面形状に形成できるのである。
【００５７】
溶液滴下部３３０は、光学素子１２の上面にマイクロレンズなどの光学部材を形成するための前駆体溶液を滴下するために設けられている。さらに、溶液滴下部３３０には、吐出される前駆体溶液を暖めるための加熱部３３２が設けられていることができる。なお、本実施の形態では、溶液滴下部３３０の上に設けられている場合を図示したが、これに限定されない。たとえば、前駆体溶液が保持されている保持容器（図示せず）に加熱部３３２が設けられていてもよい。このように、加熱部３３２を有する場合には、次のような利点がある。液滴吐出法では、ノズルで液詰まりを起こさずスムーズに塗出されるためには、吐出される溶液の粘度がある程度は低いことが望まれている。一方、粘度の低い溶液を吐出すると、光学素子に着弾した後には、粘度が低いがために、溶液が光学素子１２からはみ出したり、球面形状を維持できないことがある。しかし、加熱部３３２を設けることにより、着弾時に球面形状を維持できるだけの高い粘度の溶液を用いたとしても、加熱部３３２で暖められることにより、吐出時には、その粘度を低くすることができ、スムーズな吐出をすることができるのである。
【００５８】
エネルギー線供給部３４０は、前駆体溶液の性質に応じて、硬化させるためのエネルギー線を照射するために設けられている。エネルギー線としては、紫外線、電子線などを照射することができる。
【００５９】
２．２．動作方法
次に、この製造装置３００を用いて本実施の形態にかかる光素子を製造する方法の一例について図９（Ａ）〜（Ｃ）を参照しつつ説明する。
【００６０】
まず、１．の項で述べたように、所与の基板１０の上に光学素子１２を形成する。光学素子１２については、１．の項の説明を参照されたい。この光学素子１２を覆うように、被覆部３１０を基板１０の表面方向に可動させる。そして、図９（Ａ）に示すように、光学素子１２は、被覆部３１０内に納められることになる。このとき、被覆部３１０と基板１０とは、完全に密着していないことが好ましい。
【００６１】
ついで、図９（Ｂ）に示すように、冷却剤供給部３２０から、冷却剤を供給する。冷却剤としては、たとえば、氷点下の温度を有する窒素ガスや炭酸ガスなどを用いることができる。窒素ガスや炭酸ガスなどを被覆部３１０内に供給したとき、基板１０と被覆部３１０との間は完全に密着しない態様をとるときには、その隙間から、冷却剤であるガスが流れ出ることになり、被覆部３１０内を循環させることができる。
【００６２】
次に、溶液滴下部３３０から、光学素子１２に光学部材を形成する。この工程では、まず、図９（Ｂ）に示すように、溶液滴下部３３０から、前駆体溶液の液滴１４ａを所定量滴下して、光学部前駆体１４ｂを形成する。被覆部１１０内では、冷却剤が供給されたことにより、溶液滴下部３３０の周囲の温度と比して、光学面１２ａの周囲の温度が低くなっている。そのため、着弾時に前駆体溶液の粘度は上昇し、表面張力が大きくなる。その結果、球面形状を有する光学部前駆体１４ａが形成されることとなる。
【００６３】
ついで、図９（Ｃ）示すように、この光学部前駆体１２ａに対して、エネルギー線供給部３４０から、所定のエネルギー線３０を出射する。エネルギー線３０としては、たとえば、紫外線であることが好ましい。この場合、短時間で処理を終えることができる。その後、被覆部３１０を基板１０の表面に対して上方向に可動することで、本実施の形態にかかる光素子の製造をすることができる。
【００６４】
本実施の形態にかかる光素子の製造装置によれば、１．項で述べた光素子の製造方法を実現することができる。その結果、球面形状を有する光学部材を有する光学素子を製造することができる。
【００６５】
なお、本発明は、上述の実施の形態に限定されず、本発明の要旨の範囲内で適宜変更が可能である。
【図面の簡単な説明】
【００６６】
【図１】本実施の形態にかかる光素子の構造を模式的に示す断面図。
【図２】本実施の形態にかかる光素子の構造を模式的に示す平面図。
【図３】本実施の形態にかかる光素子の製造方法を模式的に示す断面図。
【図４】本実施の形態の製造方法により製造された光素子の作用効果を示す図。
【図５】本実施の形態の製造方法により製造された光素子の作用効果を示す図。
【図６】応用例にかかる光素子を模式的に示す断面図。
【図７】応用例にかかる光素子を模式的に示す平面図。
【図８】本実施の形態にかかる光素子の製造装置を模式的に示す概略図。
【図９】本実施の形態にかかる光素子の製造装置の動作方法を模式的に示す図。
【符号の説明】
【００６７】
１０…基板、  １２…光学素子、  １２ａ…光学面、  １４…光学部材、  １４ａ…液滴、  １４ｂ…光学部前駆体、  ２０…インクジェットヘッド、  ２２…ノズル、  ３０…エネルギー線、  １００…光素子、  １１０…基体  １１２…光学素子、  １１２ａ…光学面、  １１４…光学部材、  １６０…封止材、  ２００…マイクロレンズ基板、  ３００…製造装置、  ３１０…被覆部、  ３２０…冷却剤供給部、  ３３０…溶液滴下部、  ３３２…加熱部、  ３４０…エネルギー線供給部、
【図１】
2006145738.tif 000003
【図２】
2006145738.tif 000004
【図３】
2006145738.tif 000005
【図４】
2006145738.tif 000006
【図５】
2006145738.tif 000007
【図６】
2006145738.tif 000008
【図７】
2006145738.tif 000009
【図８】
2006145738.tif 000010
【図９】
2006145738.tif 000011